(57)【要約】【課題】従来の除湿装置は、加熱手段の気密性を高めるため、フランジ部の数箇所を螺着する必要があった。これにより、螺合部を配設するための面積をフランジ部にもたせる必要があり、吸着材の吸放湿領域が減少し、除湿効率が低下するという問題点があった。【解決手段】扇状の箱体１１６と蓋部１１７を螺着するための螺合部を、吸着材１０９を回転軸方向から蓋部１１７に投影した投影領域１の外周側および回転軸２８部分に設けるとともに、蓋部１１７の半径部分を鋭角に折り曲げて屈曲部７、８を形成し、この屈曲部７、８に箱体１１６に周設されるフランジ部３を嵌入する構成とした。これにより、箱体１１６と蓋部１１７の外周側及び中心側は螺合部２０、２１、２２、２３、２４、２５により着接され、半径側は屈曲部７、８とフランジ部３の挿嵌構造により着接されるので吸湿領域１０５や再生領域１０６の面積減少を伴わずに加熱手段１０７の気密が確保される。【選択図】図５
2005185931.tif 000002
【特許請求の範囲】
【請求項１】
相対的に湿度の高い空気から吸湿して相対的に湿度の低い空気に対して放湿する吸着材（１０９）と、前記吸着材（１０９）が除湿対象空気である第１空気（１０２）から吸湿する吸湿領域（１０５）と、前記吸着剤（１０９）が加熱手段（１０７）により加熱された前記吸着材（１０９）再生用の第２空気（１０８）に対して放湿して吸着可能に再生する再生領域（１０６）と、前記吸着材（１０９）を前記吸湿領域（１０５）と前記再生領域（１０６）を跨るように枢設し、第１空気（１０２）からの吸湿と第２空気（１０８）への放湿が繰り返し為されるように前記吸着材（１０９）を回転させる駆動手段（１１０）と、前記再生領域（１０６）に供給された後の第２空気（１０８）を第１空気（１０２）で冷却して前記吸着材（１０９）からの放湿分を結露水として回収する凝縮器（１１１）と、前記吸湿領域（１０５）および前記凝縮器（１１１）に第１空気（１０２）を供給する第１空気供給手段（１１２）と、前記加熱手段（１０７）、前記再生領域（１０６）、前記凝縮器（１１１）の順に第２空気（１０８）を供給する第２空気供給手段（１１３）とを備えた除湿装置において、前記加熱手段（１０７）は、発熱部（１１５）と、前記発熱部（１１５）を収納する箱体（１１６）と、前記吸着材（１０９）の回転軸方向に対向して前記箱体（１１６）の開口面を覆蓋する蓋部（１１７）と、前記箱体（１１６）に開口した第２空気（１０８）の取入口（１１８）と、前記蓋部（１１７）に開口した第２空気（１０８）の取出口（１１９）とを備え、前記箱体（１１６）と前記蓋部（１１７）を螺着するための螺合部を、前記吸着材（１０９）を回転軸方向から前記蓋部（１１７）に投影した投影領域（１）に設けない構成としたことを特徴とする除湿装置。
【請求項２】
箱体（１１６）と蓋部（１１７）を螺着するための螺合部（２０、２１、２２、２３、２４）を、吸着材（１０９）を回転軸方向から前記蓋部（１１７）に投影した投影領域（１）の外周側に設けたことを特徴とする請求項１記載の除湿装置。
【請求項３】
箱体（１１６）と蓋部（１１７）を螺着するための螺合部（２５）を、吸着材（１０９）の回転軸（２８）部分に設けたことを特徴とする請求項１または２記載の除湿装置。
【請求項４】
箱体（１１６）と蓋部（１１７）を各々扇形に形成して、各々の中心点が吸着材（１０９）の回転軸（２８）に合致するように配設し、前記箱体（１１６）と前記蓋部（１１７）を螺着するための螺合部（２０、２１、２２、２３、２４、２５）を、前記吸着材（１０９）を回転軸方向から前記蓋部（１１７）に投影した投影領域（１）の外周側および前記吸着材（１０９）の回転軸（２８）部分に設けたことを特徴とする請求項１、２または３記載の除湿装置。
【請求項５】
蓋部（１１７）の投影領域（１）内の縁端部を吸着材（１０９）と逆方向に折り曲げて屈曲部（７、８）を形成するとともに、箱体（１１６）の外周全縁にフランジ部（３）を周設し、前記フランジ部（３）が前記屈曲部（７、８）に挿嵌されることを特徴とする請求項４記載の除湿装置。
【請求項６】
屈曲部（７、８）の折り曲げ角度を鋭角としたことを特徴とする請求項５記載の除湿装置。
【請求項７】
フランジ部（３）が屈曲部（７、８）に一方向から嵌入可能なように箱体（１１６）と蓋部（１１７）を係合し、挿嵌状態にて前記箱体（１１６）と前記蓋部（１１７）が概略固定されることを特徴とする請求項５または６記載の除湿装置。
【請求項８】
箱体（１１６）と蓋部（１１７）を吸着材（１０９）の回転軸（２８）部分で着接する螺合部（２５）が、前記回転軸（２８）にも螺着することを特徴とする請求項７記載の除湿装置。
【請求項９】
フランジ部（３）と屈曲部（７、８）が挿嵌した状態において、屈曲部（７、８）の少なくとも一部をフランジ部（３）に圧接した圧接部（２６、２７）を設けたことを特徴とする請求項７または８記載の除湿装置。
【請求項１０】
蓋部（１１７）の取出口（１１９）周囲に吸着材（１０９）側に向けて突出する突出面（１２０）を形成し、前記突出面（１２０）を開口部や凹凸部の無い平坦面状としたことを特徴とする請求項１、２、３、４、５、６、７、８または９記載の除湿装置。
【発明の詳細な説明】
【技術分野】
【０００１】
本発明は回転式吸着材（除湿ローター）を備えた除湿装置に関するものである。
【背景技術】
【０００２】
近年、主に一般家庭で使用される回転式吸着材除湿ローターを備えた除湿装置においては、吸着材の再生に用いる空気を循環させて高露点状態にし、その高露点状態の空気を第１空気１０２で冷却して凝縮させ結露水として回収することにより除湿を行うものが一般的であった（例えば、特許文献１参照）。
【０００３】
そして、この除湿装置に用いられる加熱手段１０７の構成としては、外郭を形成する箱体１１６と蓋部１１７の間隙からの空気漏洩を抑制するため、各々の外周全縁にフランジ部を設け、このフランジ部数点を螺着して気密性を高めているものがあった（例えば、特許文献２参照）。
【０００４】
以下、図６、図７により従来の除湿装置について説明する。
【０００５】
図６は、再生に用いる空気を循環させて結露水として回収する従来の除湿装置の構成を示す簡易的な断面図であり、図６に示すように、除湿装置の本体１０１に、第１空気１０２の吸込口１０３と吹出口１０４を開口し、本体１０１内には吸湿領域１０５において第１空気１０２から吸湿し、再生領域１０６では加熱手段１０７により加熱された第２空気１０８に放湿して再生する吸着材１０９と、吸湿領域１０５における第１空気１０２からの吸湿と再生領域１０６における第２空気１０８への放湿が繰り返し為されるように吸着材１０９を回転させる駆動手段１１０と、再生領域１０６から流出した第２空気１０８を第１空気１０２で冷却して吸着材１０９からの放湿分を結露水として回収する凝縮器１１１と、吸込口１０３から第１空気１０２を吸い込んで吸湿領域１０５および凝縮器１１１に供給する第１空気供給手段１１２と、加熱手段１０７、再生領域１０６、凝縮器１１１の順に第２空気１０８を循環させる第２空気供給手段１１３とを備えている。
【０００６】
以上のように構成された除湿装置の動作について説明すると、第１空気１０２は第１空気供給手段１１２によって吸込口１０３から吸い込まれ、凝縮器１１１に供給されて第２空気１０８を冷却減湿した後、吸湿領域１０５に供給される。吸湿領域１０５において第１空気１０２は吸着材１０９に吸湿されて乾燥空気となり、吹出口１０４から装置外部に吹出す。一方、第２空気供給手段１１３により循環する第２空気１０８は、加熱手段１０７によって加熱され高温となって再生領域１０６に供給される。再生領域１０６において吸着材１０９を加熱再生して吸着材１０９から脱湿する水分を含み高湿となった第２空気１０８は、凝縮器１１１に供給され、第１空気１０２によって露点温度以下に冷却される。凝縮器１１１において冷却減湿された第２空気１０８は、第２空気供給手段１１３に吸い込まれて以上の動作を繰り返す。この循環により第２空気１０８は第１空気１０２の温度より高い露点を維持し、凝縮器１１１での結露が促進される。凝縮器１１１で結露した第２空気１０８中の水分は排水孔１１４から外部に排水される。この排水された結露水の量が除湿装置の除湿量に相当する。また、吸着材１０９の吸湿量には限界があるので、吸着材１０９が飽和しないように駆動手段１１０によって吸着材１０９を回転移動させ、吸湿領域１０５における第１空気１０２からの吸湿と再生領域１０６における第２空気１０８への放湿を繰り返し行い、長時間の連続した除湿運転を可能にしている。
【０００７】
また、図７は、従来の除湿装置の加熱手段１０７の構成を示す斜視図であり、図７に示すように、図示しない電源回路からの供給電力により発熱する発熱部１１５と、発熱部１１５を収容する箱体１１６及び蓋部１１７と、加熱手段１０７に第２空気１０８を取り入れるために箱体１１６に開口した取入口１１８と、加熱手段１０７から第２空気１０８を取り出すために蓋部１１７に開口した取出口１１９とを備えており、蓋部１１７の取出口１１９外周を吸着材１０９側に凸状に形成して、蓋部１１７と吸着材１０９との間隙からの空気漏洩を抑制する突出面１２０を形設している。また、箱体１１６と蓋部１１７との間隙からの空気漏洩を抑制するため、各々の外周全縁にフランジ部１２１、１２２を周設し、フランジ部１２１、１２２の数箇所を螺着して箱体１１６と蓋部１１７の気密性を高めるようしている。
【特許文献１】特開２０００−１２６４９８号公報（第２−３頁、第２図）
【特許文献２】特開２００２−１０３２２号公報（第４頁、第３図）
【発明の開示】
【発明が解決しようとする課題】
【０００８】
以上述べた従来の除湿装置では、箱体１１６と蓋部１１７との間隙からの空気漏洩を抑制するため、各々の外周全縁に周設したフランジ部１２１、１２２の数箇所を螺着して気密性を高める必要があった。これにより箱体１１６と蓋部１１７を螺着するための螺合部をフランジ部１２１、１２２に設ける必要があり、フランジ部１２１、１２２に相応の面積をもたせる必要があった。このため、蓋部１１７と吸着材１０９の間隙からの空気漏洩を抑制するための突出面１２０や、吸着材１０９が吸放湿を行う吸湿領域１０５あるいは再生領域１０６の面積が減少し、除湿効率が低下してしまうという問題点があった。
【０００９】
本発明は、このような従来の構成が有していた問題を解決しようとするものであり、突出面１２０や吸湿領域１０５あるいは再生領域１０６の面積減少を伴わずに、箱体１１６と蓋部１１７の気密性を高め、除湿効率を向上することを目的としている。
【課題を解決するための手段】
【００１０】
上記した目的を達成するために、本発明が講じた第1の課題解決手段は、相対的に湿度の高い空気から吸湿して相対的に湿度の低い空気に対して放湿する吸着材１０９と、前記吸着材１０９が除湿対象空気である第１空気１０２から吸湿する吸湿領域１０５と、前記吸着剤１０９が加熱手段１０７により加熱された前記吸着材１０９再生用の第２空気１０８に対して放湿して吸着可能に再生する再生領域１０６と、前記吸着材１０９を前記吸湿領域１０５と前記再生領域１０６を跨るように枢設し、第１空気１０２からの吸湿と第２空気１０８への放湿が繰り返し為されるように前記吸着材１０９を回転させる駆動手段１１０と、前記再生領域１０６に供給された後の第２空気１０８を第１空気１０２で冷却して前記吸着材からの放湿分を結露水として回収する凝縮器１１１と、前記吸湿領域１０５および前記凝縮器１１１に第１空気１０２を供給する第１空気供給手段１１２と、前記加熱手段１０７、前記再生領域１０６、前記凝縮器１１１の順に第２空気１０８を供給する第２空気供給手段１１３とを備えた除湿装置において、前記加熱手段１０７は、発熱部１１５と、前記発熱部１１５を収納する箱体１１６と、前記吸着材１０９に対向して前記箱体１１６の開口面を覆蓋する蓋部１１７と、前記箱体１１６に開口した第２空気１０８の取入口１１８と、前記蓋部１１７に開口した第２空気１０８の取出口１１９とを備え、前記箱体１１６と前記蓋部１１７を螺着するための螺合部を、前記吸着材１０９を回転軸方向から前記蓋部１１７に正投影した投影領域１内に設けない構成としたものである。
【００１１】
また、本発明が講じた第２の課題解決手段は、上記第１の課題解決手段において、箱体１１６と蓋部１１７を螺着するための螺合部２０、２１、２２、２３、２４を、吸着材１０９を回転軸方向から前記蓋部１１７に正投影した投影領域１の外周側に設けたものである。
【００１２】
また、本発明が講じた第３の課題解決手段は、上記第１または第２の課題解決手段において、箱体１１６と蓋部１１７を螺着するための螺合部２５を吸着材１０９の回転軸２８部分に設けたものである。
【００１３】
また、本発明が講じた第４の課題解決手段は、上記第１、２または第３の課題解決手段において、箱体１１６と蓋部１１７を各々扇形に形成して、各々の中心点が吸着材１０９の回転軸２８に合致するように配設し、前記箱体１１６と前記蓋部１１７を螺着するための螺合部２０、２１、２２、２３、２４、２５を、前記吸着材１０９を回転軸方向から前記蓋部１１７に正投影した投影領域１の外周側および前記吸着材１０９の回転軸２８部分に設けたものである。
【００１４】
また、本発明が講じた第５の課題解決手段は、上記第４の課題解決手段において、蓋部１１７の投影領域１内の縁端部を吸着材１０９と逆方向に折り曲げて屈曲部７、８を形成するとともに、箱体１１６の外周全縁にフランジ部３を周設し、前記フランジ部３が前記屈曲部７、８に挿嵌される構成としたものである。
【００１５】
また、本発明が講じた第６の課題解決手段は、上記第５の課題解決手段において、屈曲部７、８の折り曲げ角度を鋭角にしたものである。
【００１６】
また、本発明が講じた第７の課題解決手段は、上記第５または第６の課題解決手段において、フランジ部３が屈曲部７、８に一方向から嵌入可能なように箱体１１６と蓋部１１７を係合し、挿嵌状態にて前記箱体１１６と前記蓋部１１７が概略固定されるものである。
【００１７】
また、本発明が講じた第８の課題解決手段は、上記第７の課題解決手段において、箱体１１６と蓋部１１７を吸着材１０９の回転軸２８部分で着接する螺合部２５が、前記回転軸２８にも螺着するものである。
【００１８】
また、本発明が講じた第９の課題解決手段は、上記第７または第８の課題解決手段において、フランジ部３と屈曲部７、８が挿嵌した状態において、屈曲部７、８の少なくとも一部をフランジ部３に圧接した圧接部２６、２７を設けたものである。
【００１９】
また、本発明が講じた第１０の課題解決手段は、上記第１、第２、第３、第４、第５、第６、第７、第８または第９の課題解決手段において、蓋部１１７の取出口１１９周囲に吸着材１０９側に向けて突出する突出面１２０を形成し、前記突出面１２０を開口部や凹凸部の無い平坦面状としたものである。
【００２０】
次に上記課題解決手段による作用を説明する。
【００２１】
上記第１の課題解決手段では、加熱手段１０７に、発熱部１１５と、発熱部１１５を収納する箱体１１６と、吸着材１０９に対向して箱体１１６の開口面を覆うように形設される蓋部１１７と、箱体１１６に開口した第２空気１０８の取入口１１８と、蓋部１１７に開口した第２空気１０８の取出口１１９とが設けられる。そして、箱体１１６と蓋部１１７を螺着するための螺合部が、吸着材１０９を回転軸方向から蓋部１１７に正投影した投影領域１内に設けられないように構成される。これにより、箱体１１６と蓋部１１７の当接面となるフランジ部３の吸着材１０９対向部に螺合部を形設するための面積を確保する必要が無くなり、その分の面積が吸湿領域１０５、再生領域１０６、突出面１２０等の有効領域として利用される。
【００２２】
また、上記第２の課題解決手段では、箱体１１６と蓋部１１７を螺着するための螺合部２０、２１、２２、２３、２４が、吸着材１０９を回転軸方向から蓋部１１７に正投影した投影領域１の外周側に設けられる。これにより、箱体１１６と蓋部１１７の当接面となるフランジ部３の吸着材１０９対向部に螺合部が形設されることなく、箱体１１６と蓋部１１７が外周側で螺着される。
【００２３】
また、上記第３の課題解決手段では、箱体１１６と蓋部１１７を螺着するための螺合部２５が、吸着材１０９の回転軸２８部分に設けられる。これにより、箱体１１６と蓋部１１７の当接面となるフランジ部３の吸着材１０９対向部に螺合部が形設されることなく、箱体１１６と蓋部１１７が中心側で螺着される。
【００２４】
また、上記第４の課題解決手段では、箱体１１６と蓋部１１７が扇形に形成され、各々の中心点が吸着材１０９の回転軸２８に合致するように配設される。そして、箱体１１６と蓋部１１７を螺着するための螺合部２０、２１、２２、２３、２４、２５が、吸着材１０９を回転軸方向から蓋部１１７に正投影した投影領域１の外周側および吸着材１０９の回転軸部分に設けられる。これにより、箱体１１６と蓋部１１７の当接面となるフランジ部３の吸着材１０９対向部に螺合部が形設されることなく、箱体１１６と蓋部１１７が外周側と中心側で螺着される。
【００２５】
また、上記第５の課題解決手段では、蓋部１１７の投影領域１内の縁端部を吸着材１０９に対して逆方向に折り曲げた屈曲部７、８が形成されるとともに、箱体１１６の外周全縁にフランジ部３が周設される。そして、前記フランジ部３が前記屈曲部７、８に挿嵌可能に構成される。これにより、フランジ部３が屈曲部７、８の形成面に当接して箱体１１６と蓋部１１７の気密性が高まる。
【００２６】
また、上記第６の課題解決手段では、屈曲部７、８の折り曲げ角度が鋭角に形成される。これにより、フランジ部３と屈曲部７、８の接触面積が増加して箱体１１６と蓋部１１７の気密性が高まる。
【００２７】
また、上記第７の課題解決手段では、フランジ部３が屈曲部７、８に一方向から嵌入可能に係合される。即ち、箱体１１６と蓋部１１７が各々扇形に形成されるため、箱体１１６の中心点側と蓋部１１７の外周側が嵌入可能な一方向となり、嵌入後の挿嵌状態においては、箱体１１６のフランジ部３と蓋部１１７の屈曲部７、８が嵌合して、箱体１１６と蓋部１１７が概略固定される。
【００２８】
また、上記第８の課題解決手段では、フランジ部３が屈曲部７、８に嵌入して箱体１１６と蓋部１１７が概略固定される、この概略固定状態において、箱体１１６と蓋部１１７を吸着材１０９の回転軸２８部分で螺着する螺合部２５において、箱体１１６と蓋部１１７と回転軸２８が共に螺着されて固定される。
【００２９】
また、上記第９の課題解決手段では、フランジ部３と屈曲部７、８が挿嵌した状態において、屈曲部７、８の少なくとも一部がフランジ部３に圧接した圧接部２６、２７が設けられる。これにより、フランジ部３が圧接部２６、２７で挟持される。
【００３０】
また、上記第１０の課題解決手段では、蓋部１１７の取出口１１９周囲に吸着材１０９側に向けて突出する平坦な突出面１２０が形成される。この突出面１２０と吸着材１０９との間隔は、取出口１１９と吸着材１０９との間隔より狭くなる。そして、突出面１２０が開口部や凹凸の無い平坦面であるため、突出面１２０全域において吸湿材１０９との間隔が保持される。従って、取出口１１９外周からの空気流通が抑制される。
【発明の効果】
【００３１】
本発明によれば、箱体１１６と蓋部１１７を螺着するための螺合部を、吸着材１０９を回転軸方向から蓋部に正投影した投影領域１内に設けないように構成し、箱体１１６と蓋部１１７の当接面となるフランジ部３の吸着材１０９対向部に螺合部を形設するための面積を確保することを不要にすることができる。これにより、その不要面積分を吸湿領域１０５、再生領域１０６または突出面１２０等の有効領域として活用して除湿効率を向上することができる。
【００３２】
また、上記第２の課題解決手段によれば、吸着材１０９を回転軸方向から蓋部１１７に正投影した投影領域１の外周側に設けた螺合部２０、２１、２２、２３、２４において箱体１１６と蓋部１１７を螺着することができる。これにより、箱体１１６と蓋部１１７の当接面となるフランジ部３の吸着材１０９対向部に螺合部を形設することなく、箱体１１６と蓋部１１７を吸着材１０９外周側で螺着して気密性を確保することができる。従って、フランジ部３の吸着材１０９対向部における螺合部形設面積が不要となり、その不要面積分を吸湿領域１０５、再生領域１０６または突出面１２０に活用して除湿効率を向上することができる。吸湿領域１０５を通る第１空気１０２と再生領域１０６を通る第２空気１０８の空気流通がフランジ部３で阻害されないため、吸湿領域１０５と再生領域１０６の全面が有効活用でき、除湿効率が向上することとなる。
【００３３】
また、上記第３の課題解決手段によれば、吸着材１０９回転軸２８部分に設けた螺合部２５において箱体１１６と蓋部１１７を螺着することができる。これにより、箱体１１６と蓋部１１７の当接面となるフランジ部３の吸着材１０９対向部に螺合部を形設することなく、箱体１１６と蓋部１１７を吸着材１０９中心側で螺着して気密性を確保することができる。従って、フランジ部３の吸着材１０９対向部における螺合部形設面積が不要となり、その不要面積分を吸湿領域１０５、再生領域１０６または突出面１２０に活用して除湿効率を向上することができる。
【００３４】
また、上記第４の課題解決手段によれば、吸着材１０９を回転軸方向から蓋部１１７に正投影した投影領域１の外周側および吸着材１０９回転軸２８部分に設けた螺合部２０、２１、２２、２３、２４、２５において、箱体１１６と蓋部１１７を螺着することができる。これにより、箱体１１６と蓋部１１７の当接面となるフランジ部３の吸着材１０９対向部に螺合部を形設することなく、箱体１１６と蓋部１１７を吸着材１０９の外周側および中心側で螺着して気密性を確保することができる。従って、フランジ部３の吸着材１０９対向部における螺合部形設面積が不要となり、その不要面積分を吸湿領域１０５、再生領域１０６または突出面１２０に活用して除湿効率を向上することができる。
【００３５】
また、上記第５の課題解決手段によれば、蓋部１１７の投影領域１内の縁端部を吸着材１０９の逆方向に折り曲げた屈曲部７、８に、箱体１１６の外周全縁に周設されたフランジ部３を挿嵌することにより、フランジ部３が屈曲部７、８の形成面に当接して箱体１１６と蓋部１１７の気密性を高めることができる。これにより、フランジ部３の吸着材１０９対向部内において螺合部が不要となり、その不要面積分を吸湿領域１０５、再生領域１０６または突出面１２０に活用して除湿効率を向上することができる。
【００３６】
また、上記第６の課題解決手段によれば、屈曲部７、８の折り曲げ角度を鋭角に形成することによって、フランジ部３と屈曲部７、８の接触面積を増加し、箱体１１６と蓋部１１７の気密性を高めることができる。これにより、フランジ部３の吸着材１０９対向部内おいて螺合部が不要となり、その不要面積分を吸湿領域１０５、再生領域１０６または突出面１２０に活用して除湿効率を向上することができる。
【００３７】
また、上記第７の課題解決手段によれば、フランジ部３が屈曲部７、８に一方向から嵌入可能に係合され、嵌入後の挿嵌状態において、箱体１１６のフランジ部３と蓋部１１７の屈曲部７、８が嵌合して、箱体１１６と蓋部１１７が概略固定される。これにより、箱体１１６と蓋部１１７の螺着作業を概略固定状態にて行うことが可能となり、組立性を向上することができる。
【００３８】
また、上記第８の課題解決手段によれば、フランジ部３が屈曲部７、８に嵌合して概略固定された箱体１１６と蓋部１１７を螺合部２５において、回転軸２８と共に螺着することができる。これにより、箱体１１６と蓋部１１７の螺着作業および回転軸２８への取付作業を概略固定状態にて同時に行うことが可能となり、組立性が向上でき、螺子点数も削減することができる。
【００３９】
また、上記第９の課題解決手段によれば、フランジ部３と屈曲部７、８が挿嵌した状態において、屈曲部７、８の少なくとも一部をフランジ部３に圧接した圧接部２６、２７を設けることによって、フランジ部３を圧接部２６、２７で挟持することができる。これにより箱体１１６と蓋部１１７を螺着することなく、強固に固定し、組立性を向上することができる。
【００４０】
また、上記第１０の課題解決手段によれば、蓋部１１７の取出口１１９周囲に吸着材１０９側に向けて突出する平坦な突出面１２０を形成することにより、突出面１２０全域において吸着材１０９との間隔を適正に保持して取出口外周からの空気流通を効果的に抑制することができる。これにより漏洩量を減少させて除湿効率を向上することができる。
【発明を実施するための最良の形態】
【００４１】
（実施の形態）
本発明の実施形態に係る除湿装置は、加熱手段１０７として発熱部１１５と、発熱部１１５を収納する箱体１１６と、吸着材１０９に対向して箱体１１６の開口面を覆うように形設される蓋部１１７と、箱体１１６に開口した第２空気１０８の取入口１１８と、蓋部１１７に開口した第２空気１０８の取出口１１９とを備えており、箱体１１６と蓋部１１７を螺着するための螺合部を、吸着材１０９を回転軸方向から蓋部１１７に正投影した投影領域１に設けない構成としている。すなわち、箱体１１６と蓋部１１７を螺着するための螺合部を、第２空気１０８流入方向から見た吸着材１０９の外周部より外側に複数箇所と、吸着材１０９の中心部分に設けるものである。
【００４２】
以下、本発明の実施の形態について図面を参照しながら説明する。なお、従来の例と同一の構成要素については同一の符号を用い、詳細な説明は省略する。
【００４３】
図１は箱体１１６および蓋部１１７の構成を示す斜視図である。図１において、箱体１１６は、前面に扇状断面開口部２を有した箱形状であり、一側面に第２空気を取り入れるための取入口１１８を開口している。そして、扇状断面開口部２の周縁にはフランジ部３が形設され、フランジ部３の扇状断面開口部２外周相当位置に螺子穴４、５、６、７、８を、扇状断面開口部２中心点近傍部に螺子穴９を穿設している。蓋部１１７は、扇状断面開口部２を覆蓋する扇形平板状であり、扇状断面開口部２と略相似形状の第２空気の取出口１１９を開口している。そして、蓋部１１７の半径部端縁に鋭角な折り曲げ加工を施して屈曲部７、８を形成している。また、取出口１１９の外周縁を押出して平坦状の突出面１２０を形成し、蓋部１１７との組付状態において螺子穴４、５、６、７、８、９に各々整合する螺子穴１２、１３、１４、１５、１６、１７を穿設している。
【００４４】
図２は箱体１１６と蓋部１１７の組立過程および組付状態を示す斜視図である。図２において、箱体１１６には、発熱部１１５、安全装置としての温度ヒューズ１８およびサーミスタ１９が内装される。そして、箱体１１６の中心点側から蓋部１１７の外周側に向けてフランジ部３を屈曲部７、８に嵌入していき、箱体１１６と蓋部１１７の中心点と外周側が整合した時点で嵌入作業が完了する。この挿嵌状態において箱体１１６の螺子穴４、５、６、７、８、９と蓋部１１７の螺子穴１２、１３、１４、１５、１６、１７が各々整合するとともに、屈曲部７、８が鋭角に形成されているため、箱体１１６と蓋部１１７が嵌入方向以外には抜出し難くなり、箱体１１６と蓋部１１７が概略固定されることになる。そして、外周側においては螺子穴４、５、６、７、８と螺子穴１２、１３、１４、１５、１６が各々整合して螺合部２０、２１、２２、２３、２４が形設されるとともに、中心点側においては螺子穴９と螺子穴１７が整合して螺合部２５が形設される。そして、螺合部２１、２３を蓋部１１７方向から螺着することにより、箱体１１６と蓋部１１７が完全に固定され、加熱手段１０８が完成する。上記のように、特に構成部品を組み込むことなく箱体１１６と蓋部１１７の螺着作業を概略固定状態にて行うことができるので、組立て性を向上することができ、しかも安価に製造することができる。
【００４５】
図３は箱体１１６と蓋部１１７の組付状態の別例を示す斜視図である。図３においては、フランジ部３と屈曲部７、８の嵌入作業が完了した挿嵌状態において、屈曲部７、８の一部をフランジ部３に圧接して圧接部２６、２７を形成している。この圧接部２６、２７においてフランジ部３が屈曲部７、８に挟持されて嵌入方向にも抜出し難くなり、螺合部２１、２３における螺着作業が更に容易となる。
【００４６】
図４は、加熱手段１０８と吸着材１０９との組付状態を示す斜視図である。図４において、吸着材１０９はハニカム構造円筒形をなす回転式除湿材（除湿ローター）であり、回転中心部に回転軸２８を挿入するための中心開口部２９を有し、外周にはギア部３０が周設されている。この吸着材１０９は、吸着材１０９外形に整合する円筒型開口部３１を有する仕切板３２に収納され、円筒型開口部３１の略中心に吸着材１０９の回転軸２８が架設されて中心開口部２９に挿嵌する構成となっている。吸着材１０９の吸湿領域１０５には第１空気供給手段１１２（例えばシロッコ型送風機）により除湿対象空気である第１空気１０２を供給して吸着材１０９への吸湿を行い、再生領域１０６には加熱手段１０７に接続する第２空気供給手段１１３（例えばシロッコ方送風機）により加熱手段１０７を介して高温の第２空気１０８を供給して吸着材１０９の脱湿再生を行なっている。第２空気供給手段１１３は加熱手段１０７に近接して接続され、加熱手段１０７同様に吸着材１０９の第１空気１０２の通風方向後段側に配されている。吸着材１０９の第１空気１０２の通風方向前段には、中空状の凝縮器１１１を設け、再生領域１０６に供給された第２空気１０８を凝縮器１１１内部風路に導入し、凝縮器１１１外部風路には第１空気供給手段１１２により送風される第１空気１０２を通過させ、凝縮器１１１内を循環する第２空気１０８をその露点温度以下に冷却して結露させ、結露水として排出している。また、仕切板３２には駆動手段１１０としてギア部３０と歯合する歯車３３を回転させる駆動モーター３４が付設され、駆動モーター３４で歯車３３を回転させることにより、ギア部３０が回動して吸着材１０９の回転動作が行われることになる。加熱手段１０８は、蓋部１１７が吸着材１０９に対向する向きで仕切板３２に載設され、円筒型開口部３１の外周側に設けられた螺合部２０、２２、２４及び回転軸２８部分に設けられた螺合部２５を仕切板３２に穿設された螺子穴３５、３６、３７、３８に整合させて各々を螺子止めすることによって仕切板３２に固定される。これにより、箱体１１６と蓋部１１７は外周側を螺合部２０、２１、２２、２３、２４において着接され、中心側を螺合部２５により着接される。更に半径部分は、フランジ部３と屈曲部７、８が挿嵌状態により着接されて、箱体１１６と蓋部１１７の気密が確保されることになる。また、箱体１１６と蓋部１１７をともに回転軸２８に螺子止めできるので、組立性が向上でき、螺子点数も削減することができる。なお、本実施例では、第２空気１０８は装置内を循環するように構成されているが、第２空気を循環しない方式の除湿装置、例えば、非結露型の除湿装置及び加湿装置あるいは乾燥装置等であっても、回転式除湿材（除湿ローター）を用いる空調機器であれば、上記加熱手段構成技術の作用効果に差異はない。
【００４７】
図５は、加熱手段１０８と吸着材１０９の位置関係を示す簡易的な平面図である。図５において斜線部分は、吸着材１０９を回転軸方向から蓋部１１７に投影した投影領域１であり、箱体１１６と蓋部１１７は、吸着材１０９外周側に設けられた螺合部２０、２１、２２、２３、２４と回転軸２８部分に設けられた螺合部２５により、螺着され、投影領域１には螺合部が存在しない構成となる。また、吸着材１０９の加熱手段１０８の取出口１１９に対向する領域は、第２空気１０８が通過して吸着材１０９の再生を行う再生領域１０６となり、投影領域１以外の部分は、第１空気１０２が通過して吸着材１０９が吸湿を行う吸湿領域１０５となる。投影領域１の再生領域１０６以外の部分は、螺合部が存在しないため、その殆どを再生領域１０６と吸湿領域１０５間の空気流通を抑制するフランジ部３として利用できる。また、フランジ部３も螺合部がないため凹凸の無い平坦状に形成することができ、フランジ部３の面積も縮小でき、その分の面積を再生領域１０６或いは吸湿領域１０５に有用に活用することが可能となる。よって、再生領域１０６或いは吸湿領域１０５の有効利用面積の減少を伴わずに箱体１１６と蓋部１１７の気密性を高め、除湿効率を向上することができる。
【産業上の利用可能性】
【００４８】
本発明に係る除湿装置は、吸着材（１０９）を再生させる加熱手段（１０８）の構成技術を提供するのもであり、回転式除湿材（除湿ローター）を用いる空調機器、例えば、非結露型の除湿装置及び加湿装置あるいは乾燥装置等にも有用である。
【図面の簡単な説明】
【００４９】
【図１】本発明の実施形態に係る除湿装置の箱体（１１６）および蓋部（１１７）の構成を示す斜視図
【図２】同除湿装置の箱体（１１６）と蓋部（１１７）の組立過程および組付状態を示す斜視図
【図３】同除湿装置の箱体（１１６）と蓋部（１１７）の組付状態の別例を示す斜視図
【図４】同除湿装置の加熱手段（１０８）と吸着材（１０９）との組付状態を示す斜視図
【図５】同除湿装置の加熱手段（１０８）と吸着材（１０９）の位置関係を示す簡易断面図
【図６】従来の除湿装置の構成を示す簡易的な断面図
【図７】同除湿装置の加熱手段（１０７）の構成を示す斜視図
【符号の説明】
【００５０】
１      投影領域
３      フランジ部
１０    屈曲部
１１    屈曲部
２０    螺合部
２１    螺合部
２２    螺合部
２３    螺合部
２４    螺合部
２５    螺合部
２６    圧接部
２７    圧接部
２８    回転軸
１０２  第１空気
１０５  吸湿領域
１０６  再生領域
１０７  加熱手段
１０８  第２空気
１０９  吸着材
１１０  駆動手段
１１１  凝縮器
１１２  第１空気供給手段
１１３  第２空気供給手段
１１５  発熱部
１１６  箱体
１１７  蓋部
１１８  取入口
１１９  取出口
１２０  突出面
【図１】
2005185931.tif 000003
【図２】
2005185931.tif 000004
【図３】
2005185931.tif 000005
【図４】
2005185931.tif 000006
【図５】
2005185931.tif 000007
【図６】
2005185931.tif 000008
【図７】
2005185931.tif 000009